(57)【要約】【課題】専用のコントローラが不要で、安価に多室型空気調和システムのサマータイム時間対応すること。【解決手段】サマータイムシフト手段９（９Ａ、・・・、９ｎ）が、室外機２から受信したサマータイム設定情報によりタイマー設定記憶部６（６Ａ、・・・、６ｎ）内のタイマー設定を所定時間進ませるものである。これによって、室内機４（４Ａ、・・・、４ｎ）のサマータイム時間対応に、専用のコントローラが不要で、安価に多室型空気調和システムのサマータイム時間対応ができる。【選択図】図１
2009133516.tif 000002
【特許請求の範囲】
【請求項１】
通信手段とタイマー設定記憶部と内部時計と制御部とサマータイムシフト手段とを備えた室内機と、タイマー設定機能を備えたリモコンと、サマータイム設定スイッチを備えた室外機を具備した多室型空気調和システムであって、前記サマータイムシフト手段が前記サマータイム設定スイッチの状態により前記タイマー設定記憶部内のタイマー設定を所定時間進ませることを特徴とする多室型空気調和システム。
【請求項２】
サマータイム表示部が室内機内に構成され、前記サマータイム表示部がサマータイム設定中をユーザーに通知することを特徴とする、請求項１記載の多室型空気調和システム。
【請求項３】
音声出力手段が室内機内に構成され、前記音声出力手段がサマータイム設定中をユーザーに音声案内することを特徴とする、請求項１または２のいずれか１項に記載の多室型空気調和システム。
【発明の詳細な説明】
【技術分野】
【０００１】
本発明は多室型空気調和システムに関するものである。
【背景技術】
【０００２】
従来、この種の空気調和システムでは、例えば図４に記載された空気調和システムがあった（例えば、特許文献１参照）。
【０００３】
図４において、各種制御信号を送受信する通信手段１０６と、内部時計１０７と、制御部１０８と、タイマー設定手段１０９を備えた室内機１０２と、室外機１０３と、サマータイム設定機能１０５を備えた専用コントローラ１０４を具備した空気調和システム１０１であって、専用コントローラ１０４からサマータイム設定を通信手段１０６が受信すると、内部時計１０７を１時間進ませていた。
【特許文献１】特開２００２−１２２３４１号公報
【発明の開示】
【発明が解決しようとする課題】
【０００４】
しかしながら、前記従来の構成では、専用コントローラ１０４からサマータイム設定を行っていた。このためサマータイム時間に対応するためには、専用コントローラの設置が必要であり、高額な費用が発生してしまう課題を有していた。
【０００５】
本発明は、前記従来の課題を解決するもので、室内機内に構成されるサマータイムシフト手段が室外機のサマータイム設定スイッチ状態によりタイマー設定記憶部内のタイマー設定を所定時間進ませることで、専用のコントローラが不要で、安価に空気調和機のサマータイム時間対応ができる多室型空気調和システムを提供することを目的とする。
【課題を解決するための手段】
【０００６】
前記従来の課題を解決するために、本発明の多室型空気調和システムは、通信手段とタイマー設定記憶部と内部時計と制御部とサマータイムシフト手段とを備えた室内機と、タイマー設定機能を備えたリモコンと、サマータイム設定スイッチを備えた室外機を具備した多室型空気調和システムであって、前記サマータイムシフト手段が室外機の前記サマータイム設定スイッチ状態により前記タイマー設定記憶部内のタイマー設定を所定時間進ませるものである。
【０００７】
これによって、空気調和機のサマータイム時間対応に、専用のコントローラが不要で、安価に多室型空気調和システムを構成することができる。
【発明の効果】
【０００８】
本発明の多室型空気調和システムは、空気調和機のサマータイム時間対応に、専用のコントローラが不要で、安価に多室型空気調和システムを構成することができる。
【発明を実施するための最良の形態】
【０００９】
第１の発明は、通信手段と、タイマー設定記憶部と、内部時計と、制御部と、サマータイムシフト手段とを備えた室内機と、タイマー設定機能を備えたリモコンと、サマータイム設定スイッチを備えた室外機を具備した多室型空気調和システムであって、サマータイムシフト手段が室外機のサマータイム設定スイッチ状態によりタイマー設定記憶部内のタイマー設定を所定時間進ませるもので、この構成をなすことにより、専用のコントローラが不要で、安価に多室型空気調和システムのサマータイム時間対応ができる。
【００１０】
第２の発明は、室内機内にサマータイム表示部を設け、特に、第１の発明のサマータイム時間対応中をサマータイム表示部にてユーザーに通知するもので、この構成をなすことにより、専用のコントローラが設置されていない部屋においても、ユーザーがサマータイム時間対応中を容易に認識することができる。
【００１１】
第３の発明は、室内機内に音声出力手段を設け、特に、第１の発明のサマータイム時間対応中をサマータイム表示部にてユーザーに音声案内するもので、この構成をなすことにより、専用のコントローラが設置されていない部屋においても、ユーザーがサマータイム時間対応中を容易に認識することができる。
【００１２】
以下、本発明の実施の形態について、図面を参照しながら説明する。なお、この実施の形態によって本発明が限定されるものではない。
【００１３】
（実施の形態１）
図１は、本発明の第１の実施の形態における多室型空気調和システム１のブロック図を示すものである。
【００１４】
図１において、多室型空気調和システム１は、通信手段５（５Ａ、・・・、５ｎ）とタイマー設定記憶部６（６Ａ、・・・、６ｎ）と内部時計７（７Ａ、・・・、７ｎ）と制御部８（８Ａ、・・・、８ｎ）とサマータイムシフト手段９（９Ａ、・・・、９ｎ）とを備えた室内機４（４Ａ、・・・、４ｎ）と、タイマー設定機能１１（１１Ａ、・・・、１１ｎ）を備えたリモコン１０（１０Ａ、・・・、１０ｎ）と、サマータイム設定スイッチ３を備えた室外機２とから構成される。以上のように構成された多室形空気調和システムにおいて、以下その動作、作用を説明する。
【００１５】
サマータイム設定スイッチ３は、室外機２内に備えられ、サマータイム情報（サマータイム許可、サマータイム禁止）を室内機４（４Ａ、・・・、４ｎ）に送信する。
【００１６】
通信手段５（５Ａ、・・・、５ｎ）は、室外機２及びリモコン１０（１０Ａ、・・・、１０ｎ）と各種制御信号（運転ＯＮ、運転ＯＦＦ、タイマー設定等）を送受信する。
【００１７】
タイマー設定記憶部６（６Ａ、・・・、６ｎ）は、通信手段５（５Ａ、・・・、５ｎ）でリモコン１０（１０Ａ、・・・、１０ｎ）から受信したタイマー設定情報（９：００に運転ＯＮ、１７：００に運転ＯＦＦ等）を記憶する。
【００１８】
制御部８（８Ａ、・・・、８ｎ）は、内部時計７（７Ａ、・・・、７ｎ）とタイマー設定記憶部６（６Ａ、・・・、６ｎ）の時間情報を比較し室内機４（４Ａ、・・・、４ｎ）を運転制御する。
【００１９】
サマータイムシフト手段９（９Ａ、・・・、９ｎ）は、タイマー設定記憶部６（６Ａ、・・・、６ｎ）の時間情報を所定時間（１時間、２時間等）進める。
【００２０】
タイマー設定機能１１（１１Ａ、・・・、１１ｎ）は、リモコン１０（１０Ａ、・・・、１０ｎ）内に備えられ、タイマー設定情報（９：００に運転ＯＮ、１７：００に運転ＯＦＦ等）を室内機４（４Ａ、・・・、４ｎ）に送信する。
【００２１】
以上のように構成された多室型空気調和システム１は、サマータイムシフト手段９（９Ａ、・・・、９ｎ）が、室外機２のサマータイム設定スイッチ３の状態によりタイマー設定記憶部６（６Ａ、・・・、６ｎ）内のタイマー設定を所定時間（１時間、２時間等）進
ませるものである。
【００２２】
したがって、室内機４（４Ａ、・・・、４ｎ）のサマータイム時間対応に、専用のコントローラが不要で、安価に多室型空気調和システムを構成することができる。
【００２３】
また、複数の空気調和機のサマータイム時間対応を容易に行うことができ、サマータイム設定にかかる作業時間を低減することができる。
【００２４】
（実施の形態２）
図２は、本発明の実施の形態２における多室型空気調和システム１のブロック図を示すものである。図２において、実施の形態１で説明した部分については同じ符号を用い説明を省略する。
【００２５】
サマータイム表示部１２（１２Ａ、・・・、１２ｎ）は、室内機４（４Ａ、・・・、４ｎ）内に備えられ、サマータイム設定状態を表示（本体ＬＥＤ点灯等）する。
【００２６】
以上のように構成された多室型空気調和システム１は、サマータイム時間対応中をサマータイム表示部１２（１２Ａ、・・・、１２ｎ）にてユーザーに通知するものである。
【００２７】
したがって、専用のコントローラが設置されていない部屋においても、ユーザーがサマータイム時間対応中を容易に認識することができる。
【００２８】
（実施の形態３）
図３は、本発明の実施の形態３における多室型空気調和システム１のブロック図を示すものである。図３において、実施の形態１で説明した部分については同じ符号を用い説明を省略する。
【００２９】
音声出力手段１３（１３Ａ、・・・、１３ｎ）は、室内機４（４Ａ、・・・、４ｎ）内に備えられ、サマータイム設定状態（サマータイム時間対応中です。等）を音声で出力する。
【００３０】
以上のように構成された多室型空気調和システム１は、サマータイム時間対応中を音声出力手段１３（１３Ａ、・・・、１３ｎ）で音声出力するものである。
したがって、専用のコントローラが設置されていない部屋においても、ユーザーがサマータイム時間対応中を容易に認識することができる。
【産業上の利用可能性】
【００３１】
以上のように、本発明の多室型空気調和システムは、サマータイムシフト手段が室外機のサマータイム設定スイッチ状態によりタイマー設定記憶部内のタイマー設定を所定時間進ませることで、専用のコントローラが不要で、安価に空気調和機のサマータイム時間対応ができるので、給湯器等の設置型システム機器のサマータイム時間対応にも適用できる。
【図面の簡単な説明】
【００３２】
【図１】本発明の実施の形態１における多室型空気調和システムのブロック図
【図２】本発明の実施の形態２における多室型空気調和システムのブロック図
【図３】本発明の実施の形態３における多室型空気調和システムのブロック図
【図４】従来の空気調和システムのブロック図
【符号の説明】
【００３３】
１  多室型空気調和システム
２  室外機
３  サマータイム設定スイッチ
４  室内機
５  通信手段
６  タイマー設定記憶部
７  内部時計
８  制御部
９  サマータイムシフト手段
１０  リモコン
１１  タイマー設定機能
１２  サマータイム表示部
１３  音声出力手段
【図１】
2009133516.tif 000003
【図２】
2009133516.tif 000004
【図３】
2009133516.tif 000005
【図４】
2009133516.tif 000006